(57)【要約】【課題】本願は、眼位の自動化された検出方法を提供する。【解決手段】被験者が視標を凝視する間に被験者の斜位を自動的に測定するための実施例における方法は、イメージ捕獲機器を使用して被験者の眼の少なくとも一方のイメージを捕らえることを含むことができる。イメージは、被験者の眼の少なくとも一方からの光の反射を含むことができる。また、方法は、イメージを解析して被験者の眼の少なくとも一方の中の光の反射の位置を同定し、及び被験者の眼の少なくとも一方の中の光の反射の位置に基づいて斜位測定を特定することを含むことができる。【選択図】図１Ａ
2020018875.tif 000002
【特許請求の範囲】
【請求項１】
被験者が視標を凝視する間に被験者の斜位を自動的に測定するための方法であって：
イメージ捕獲機器を使用して前記被験者の眼の少なくとも一方のイメージを捕らえることであって、前記イメージは、前記被験者の眼の少なくとも一方の任意の表面からの光の反射を含むこと；
前記イメージを解析して前記被験者の眼の少なくとも一方の中の前記光の反射の位置を同定すること；及び
前記被験者の眼の少なくとも一方の中の前記光の反射の位置に基づいて斜位測定を特定すること、
を含む、前記方法。
【請求項２】
請求項１の方法であって、前記被験者の眼の一方の中の前記光の反射の位置と前記被験者の眼の他方の中の前記光の反射の位置を比較することをさらに含み、前記斜位測定は、前記比較の結果に基づいて特定される、前記方法。
【請求項３】
請求項１−２のいずれかの方法であって、前記イメージを解析して前記被験者の眼の少なくとも一方の中の前記光の反射の位置を同定することは、前記被験者の眼の少なくとも一方の目標に対して前記光の反射の位置を同定することをさらに含む、前記方法。
【請求項４】
請求項１−３のいずれかの方法であって、前記イメージは、前記被験者の眼の少なくとも一方の角膜の外側もしくは内側表面またはレンズの外側もしくは内側表面の少なくとも一方からの前記光の反射を含む、前記方法。
【請求項５】
請求項４の方法であって、前記イメージは、第１、第２、第３または第４プルキニエイメージである、前記方法。
【請求項６】
請求項１−５のいずれかの方法であって、前記被験者の眼の少なくとも一方をカバーすること及びカバーを取ることをさらに含み、前記イメージは、前記被験者の眼の少なくとも一方のカバーを取った後に捕らえられる、前記方法。
【請求項７】
請求項６の方法であって、前記被験者の眼の少なくとも一方のカバーを取った後に前記被験者の眼のイメージの配列を捕らえること及びイメージの配列の一方において前記被験者の眼の少なくとも一方の中の前記光の反射の位置に対して、イメージの配列の他方において前記被験者の眼の少なくとも一方の中の前記光の反射の位置を比較して、前記被験者の眼の少なくとも一方のカバーが取られた後に任意の動きの任意の大きさ及び方向を特定することをさらに含む、前記方法。
【請求項８】
請求項１−５のいずれかの方法であって、フィルタで前記被験者の眼の少なくとも一方をカバーすることをさらに含み、前記イメージは、前記被験者の眼の少なくとも一方が前記フィルタによってカバーされる間に捕らえられる、前記方法。
【請求項９】
請求項１−８のいずれかの方法であって、自動屈折測定を行うことをさらに含み、前記自動屈折測定は、視標に焦点を合わせる間に前記被験者の眼の一方の屈折力を測定する、前記方法。
【請求項１０】
請求項９の前記方法であって、前記イメージは、予定されている範囲内にある前記被験者の眼の一方の屈折力に応じて捕らえられる、前記方法。
【請求項１１】
前記自動屈折測定に基づいて前記斜位測定を調整することをさらに含む、請求項９の方法。
【請求項１２】
前記被験者の眼の少なくとも一方の中の前記光の反射の位置及び前記自動屈折測定に基づいて調節性輻輳調節比を算出することをさらに含む、請求項９の方法。
【請求項１３】
請求項１−１２のいずれかの方法であって、前記被験者の眼の少なくとも一方は、前記被験者の左眼または右眼である、前記方法。
【請求項１４】
請求項１−１２のいずれかの方法であって、前記被験者の眼の少なくとも一方は、前記被験者の左眼及び右眼である、前記方法。
【請求項１５】
前記反射を作り出すために光源を使用して光で前記被験者の眼の少なくとも一方を照射することをさらに含む請求項１の前記方法。
【請求項１６】
請求項１−１５のいずれかの前記方法であって、前記光は、電磁スペクトルの可視または非可視部分にある、前記方法。
【請求項１７】
前記被験者が視標を凝視する間に被験者の斜位を自動的に測定するための装置であって：
前記被験者の眼の少なくとも一方のイメージを捕らえるためのイメージ捕獲機器；
プロセッサ；及び
前記プロセッサと操作可能な通信をするメモリであり、前記メモリは、それに記憶されるコンピュータ実行可能命令を有し、前記プロセッサによって実行されるときに、それは前記プロセッサに：
前記イメージ捕獲機器からの前記イメージを受け取らせ、前記イメージは、前記被験者の眼の少なくとも一方の任意の表面からの光の反射を含む；
前記イメージを解析して前記被験者の眼の少なくとも一方の前記光の反射の位置を同定させ；及び
前記被験者の眼の少なくとも一方の中の前記光の反射の位置に基づいて斜位測定を特定するメモリ、
を含む、前記装置。
【請求項１８】
請求項１７の装置であって、前記メモリは、それに記憶されるさらなるコンピュータ実行可能命令を有し、前記プロセッサによって実行されるときに、それは前記プロセッサに前記被験者の眼の一方の中の前記光の反射の位置と前記被験者の眼の他方の中の前記光の反射の位置を比較させ、前記斜位測定は、前記比較の結果に基づいて特定される、前記装置。
【請求項１９】
請求項１７−１８のいずれかの装置であって、前記イメージを解析して前記被験者の眼の少なくとも一方の中の前記光の反射の位置を同定することは、前記被験者の眼の少なくとも一方の目標に対して前記光の反射の位置を同定することをさらに含む、前記装置。
【請求項２０】
請求項１７−１９のいずれかの装置であって、前記イメージは、前記被験者の眼の少なくとも一方の角膜の外側もしくは内側表面またはレンズの外側もしくは内側表面の少なくとも一方からの前記光の反射を含む、前記装置。
【請求項２１】
請求項２０の装置であって、前記イメージは、第１、第２、第３または第４プルキニエイメージである、前記装置。
【請求項２２】
請求項１７−２１のいずれかの装置であって、前記イメージは、前記被験者の眼の少なくとも一方をカバーする、及びカバーを取った後に捕らえられる、前記装置。
【請求項２３】
請求項２２の装置であって、前記イメージ捕獲機器は、前記被験者の眼の少なくとも一方のカバーを取った後に前記被験者の眼のイメージの配列を捕らえるためのビデオ捕獲機器またはカメラであり、及び前記プロセッサは、コンピュータ読取り可能命令を実行して、イメージの前記配列の一方において前記被験者の眼の少なくとも一方の中の前記光の反射の位置に対する、イメージの前記配列の他方において前記被験者の眼の少なくとも一方の中の前記光の反射の位置を比較して、前記被験者の眼の少なくとも一方のカバーが取られた後に、任意の動きの大きさ及び方向を特定する、前記装置。
【請求項２４】
請求項１７−２１のいずれかの装置であって、前記イメージは、前記被験者の眼の少なくとも一方がフィルタによってカバーされている間に捕らえられる、前記装置。
【請求項２５】
請求項２３の装置であって、ディスプレイ機器をさらに含み、前記装置は、第１の表面及び前記第１の表面の反対側に第２の表面を定義し、前記ディスプレイ機器は、前記第１の表面上に配置され、及び前記イメージ捕獲機器は、前記第２の表面上に配置される、前記装置。
【請求項２６】
光で前記被験者の眼の少なくとも一方を照射するための光源をさらに含む請求項１７−２５のいずれかの前記装置。
【請求項２７】
請求項２６の前記装置であって、前記光源は、前記イメージ捕獲機器周辺に配置される複数のＬＥＤを含む、前記装置。
【請求項２８】
請求項１７−２７のいずれかの装置であって、前記装置は、前記被験者に前記視標を提供し、及び前記メモリは、それに記憶されるさらなるコンピュータ実行可能命令を有し、前記プロセッサによって実行されるときに、それは前記プロセッサに前記視標に焦点を合わせる間に前記被験者の眼の一方の屈折力を測定する自動屈折測定を行わせる、前記装置。
【請求項２９】
請求項２８の装置であって、前記イメージは、予定されている範囲内にある前記被験者の眼の一方の屈折力に応じて捕らえられる、前記装置。
【請求項３０】
請求項２８−２９のいずれかの装置であって、前記メモリは、それに記憶されるさらなるコンピュータ実行可能命令を有し、前記プロセッサによって実行されるときに、それは前記プロセッサに前記自動屈折測定に基づいて前記斜位測定を調整させる、前記装置。
【請求項３１】
請求項２８−３０のいずれかの前記装置であって、前記メモリは、それに記憶されるさらなるコンピュータ実行可能命令を有し、前記プロセッサによって実行さるときに、前記プロセッサに前記被験者の眼の少なくとも一方の中の前記光の反射の位置及び前記自動屈折測定に基づいて調節性輻輳調節比を算出させる、前記装置。
【請求項３２】
請求項１７−３１のいずれかの前記装置であって、前記装置は、コンピューティング機器である、前記装置。
【請求項３３】
請求項３２の装置であって、前記コンピューティング機器は、ラップトップコンピュータ、タブレット型コンピュータまたは携帯電話である、前記装置。
【請求項３４】
請求項１７−３３のいずれかの装置であって、前記被験者の眼の少なくとも一方は、前記被験者の左眼または右眼である、前記装置。
【請求項３５】
請求項１７−３３のいずれかの装置であって、前記被験者の眼の少なくとも一方は、前記被験者の左眼及び右眼である、前記装置。
【請求項３６】
請求項１７−３５のいずれかの装置であって、前記光は、電磁スペクトルの可視または非可視部分にある、前記装置。
【請求項３７】
前記被験者の眼の少なくとも一方の眼位を自動的に測定するための方法であって：
自動屈折測定を行うことであり、前記自動屈折測定は、視標に集点を合わせる間に前記被験者の眼の少なくとも一方の屈折力を測定すること；
イメージ捕獲装を使用して前記被験者の眼のイメージを捕らえることでああって、前記イメージは、前記被験者の眼のそれぞれの任意の表面からの光の反射を含むこと；
前記イメージを解析して、それぞれ、前記被験者の眼のそれぞれの中の前記光の反射の位置を同定すること；及び
それぞれ、前記被験者の眼のそれぞれの中の前記光の反射の位置に基づいて前記被験者の眼の少なくとも一方の眼位測定を特定すること、
を含む、前記方法。
【請求項３８】
請求項３７の方法であって、前記イメージは、予定されている範囲内にある前記被験者の眼の少なくとも一方の前記屈折力に応じて捕らえられる、前記方法。
【請求項３９】
前記自動屈折測定に基づいて前記被験者の眼の少なくとも一方の前記眼位測定を調整することをさらに含む、請求項３７の方法。
【請求項４０】
前記被験者の眼の少なくとも一方の中の前記光の反射の位置及び前記自動屈折測定に基づいて調節性輻輳調節比を算出することをさらに含む、請求項３７の方法。
【請求項４１】
前記被験者の眼の一方の中の前記光の反射の位置と前記被験者の眼の他方の中の前記光の反射の位置を比較することをさらに含む請求項３７−４０のいずれかの前記方法であって、前記眼位測定は、前記比較の結果に基づいて特定される、前記方法。
【請求項４２】
請求項３７−４１のいずれかの方法であって、前記イメージを解析して、それぞれ、前記被験者の眼のそれぞれの中の前記光の反射の位置を同定することは、それぞれ、前記被験者の眼のそれぞれの虹彩の可視部分に対して前記光の反射の位置を同定することをさらに含む、前記方法。
【請求項４３】
請求項３７−４２のいずれかの方法であって、前記イメージは、前記被験者の眼の少なくとも一方の角膜の外側もしくは内側表面またはレンズの外側もしくは内側表面の少なくとも一方からの前記光の反射を含む、前記方法。
【請求項４４】
請求項４３の方法であって、前記イメージは、第１、第２、第３または第４プルキニエイメージである、前記方法。
【請求項４５】
請求項３７−４４のいずれかの方法であって、前記眼位測定は、斜位測定または斜視測定である、前記方法。
【請求項４６】
請求項３７−４５のいずれかの方法であって、前記被験者の眼の少なくとも一方は、前記被験者の左眼または右眼である、前記方法。
【請求項４７】
請求項３７−４５のいずれかの方法であって、前記被験者の眼の少なくとも一方は、前記被験者の左眼及び右眼である、前記方法。
【請求項４８】
請求項３７−４７のいずれかの方法であって、前記光は、電磁スペクトルの可視または非可視部分にある、前記方法。
【請求項４９】
光で前記被験者の眼を照射して前記反射を作り出すことをさらに含む、請求項３７−４８のいずれかの方法。
【請求項５０】
前記被験者の眼の少なくとも一方の眼位を測定するための装置であって、前記被験者に視標を提供する前記装置は：
前記被験者の眼のイメージを捕らえるためのイメージ捕獲機器；
プロセッサ；及び
前記プロセッサと操作可能な通信をするメモリであり、前記メモリは、それに記憶されるコンピュータ実行可能命令を有し、前記プロセッサによって実行されるときに、それは前記プロセッサに：
前記視標に集点を合わせる間に前記被験者の眼の少なくとも一方の屈折力を測定する自動屈折測定を行わせ；
前記イメージ捕獲機器から前記イメージを受け取らせ、前記イメージは、前記被験者の眼のそれぞれの任意の表面からの光の反射を含み；
前記イメージを解析して、それぞれ、前記被験者の眼のそれぞれの中の前記光の反射の位置を同定させ；及び
それぞれ、前記被験者の眼のそれぞれの中の前記光の反射の位置に基づいて、前記被験者の眼の少なくとも一方の眼位測定を特定する前記メモリ、
を含む、前記装置。
【請求項５１】
請求項５０の装置であって、前記イメージは、予定されている範囲内にある前記被験者の眼の少なくとも一方の前記屈折力に応じて捕らえる、前記装置。
【請求項５２】
請求項５０の装置であって、前記メモリは、それに記憶されるさらなるコンピュータ実行可能命令を有し、前記プロセッサによって実行されるときに、それは前記プロセッサに前記自動屈折測定に基づいて前記被験者の眼の少なくとも一方の前記眼位測定を調整させる、前記装置。
【請求項５３】
請求項５０の装置であって、前記メモリは、それに記憶されるさらなるコンピュータ実行可能命令を有し、前記プロセッサによって実行されるときに、それは前記プロセッサに前記被験者の眼の少なくとも一方の中の前記光の反射の位置及び前記自動屈折測定を使用して調節性輻輳調節比を算出させる、前記装置。
【請求項５４】
請求項５０−５３のいずれかの装置であって、前記メモリは、それに記憶されるさらなるコンピュータ実行可能命令を有し、前記プロセッサによって実行されるときに、それは前記プロセッサに前記被験者の眼の一方の中の前記光の反射の位置と前記被験者の眼の他方の中の前記光の反射の位置を比較させ、前記眼位測定は、前記比較の結果に基づいて特定される、前記装置。
【請求項５５】
請求項５０−５４のいずれかの装置であって、前記イメージを解析して、それぞれ、前記被験者の眼のそれぞれの中の前記光の反射の位置を同定することは、それぞれ、前記被験者の眼のそれぞれの目標に対する前記光の反射の位置を同定することをさらに含む、前記装置。
【請求項５６】
請求項５０−５５のいずれかの装置であって、前記イメージは、前記被験者の眼の少なくとも一方の角膜の外側もしくは内側表面またはレンズの外側もしくは内側表面の少なくとも一方からの前記光の反射を含む、前記装置。
【請求項５７】
請求項５６の前記装置であって、前記イメージは、第１、第２、第３または第４プルキニエイメージである、前記装置。
【請求項５８】
請求項５０−５７のいずれかの装置であって、前記イメージ捕獲機器は、前記被験者の眼のイメージの配列を捕らえるためのビデオ捕獲機器またはカメラである、前記装置。
【請求項５９】
ディスプレイ機器をさらに含む請求項５８の装置であって、前記装置は、第１の表面及び前記第１の表面の反対側に第２の表面を定義し、前記ディスプレイ機器は、前記第１の表面上に配置され、及び前記イメージ捕獲機器は、前記第２の表面上に配置される、前記装置。
【請求項６０】
光で前記被験者の眼を照射して前記反射を作り出すための光源をさらに含む、請求項５０−５９のいずれかの装置。
【請求項６１】
請求項６０の装置であって、前記光源は、前記ビデオ捕獲機器周辺に配置される複数のＬＥＤを含む、前記装置。
【請求項６２】
請求項５０−６１のいずれかの装置であって、前記装置は、コンピューティング機器である、前記装置。
【請求項６３】
請求項６２の装置であって、前記コンピューティング機器は、ラップトップコンピュータ、タブレット型コンピュータまたは携帯電話である、前記装置。
【請求項６４】
請求項５０−６３のいずれかの装置であって、前記眼位測定は、斜位測定または斜視測定である、前記装置。
【請求項６５】
請求項５０−６４のいずれかの装置であって、前記被験者の眼の少なくとも一方は、前記被験者の左眼または右眼である、前記装置。
【請求項６６】
請求項５０−６４のいずれかの装置であって、前記被験者の眼の少なくとも一方は、前記被験者の左眼及び右眼である、前記装置。
【請求項６７】
請求項５０−６６のいずれかの装置であって、前記光は、電磁スペクトルの可視または非可視部分にある、前記装置。
【請求項６８】
少なくとも一方の眼の眼位を測定するための方法であって：
被験者の眼の少なくとも一方の自動屈折測定を行うこと；
前記被験者の眼の少なくとも一方の眼位測定を行うこと；及び
前記自動屈折測定に基づいて眼位測定を補正すること、
を含む、前記方法。
【請求項６９】
請求項６８の方法であって、前記自動屈折測定に基づいて前記眼位測定を補正することは、前記自動屈折測定が予定されている範囲内にあるときにのみ、前記眼位測定を行うことをさらに含む、前記方法。
【請求項７０】
請求項６８の方法であって、前記自動屈折測定に基づいて前記眼位測定を補正することは、前記自動屈折測定に基づいて前記眼位測定を調整することをさらに含む、前記方法。
【請求項７１】
請求項６８−７０のいずれかの方法であって、前記自動屈折測定は、視標に焦点を合わせる間に前記被験者の眼の少なくとも一方の屈折力を測定する、前記方法。
【請求項７２】
請求項６８−７１のいずれかの方法であって、前記眼位測定は、斜位測定または斜視測定である、前記方法。
【請求項７３】
前記被験者が視標を凝視する間に被験者の斜位を自動的に測定するための方法であって：
イメージ捕獲機器を使用して前記被験者の眼の少なくとも一方のイメージを捕らえることであり、前記イメージは、前記被験者の眼の少なくとも一方からの光の少なくとも２つの反射を含むこと；
前記イメージを解析して前記被験者の眼の少なくとも一方の中の前記光の少なくとも２つの反射のそれぞれの位置を同定すること；及び
前記被験者の眼の少なくとも一方の中の前記光の少なくとも２つの反射のそれぞれの位置に基づいて斜位測定を特定すること、
を含む、前記方法。
【請求項７４】
前記被験者の眼の少なくとも一方の中の前記光の少なくとも２つの反射のそれぞれの位置と前記被験者の眼の他方の中の前記光の少なくとも２つの反射のそれぞれの位置を比較することをさらに含む請求項７３の前記方法であって、前記斜位測定は、前記比較の結果に基づいて特定される、前記方法。
【請求項７５】
請求項７３−７４のいずれかの前記方法であって、前記イメージは、前記被験者の眼の少なくとも一方の角膜の外側もしくは内側表面またはレンズの外側もしくは内側表面の少なくとも２つからの前記光の少なくとも２つの反射を含む、前記方法。
【請求項７６】
光源を使用して光で前記被験者の眼の少なくとも一方を照射して前記反射を作り出すことをさらに含む請求項７３−７５のいずれかの前記方法。
【請求項７７】
前記被験者が視標を凝視する間に被験者の斜位を自動的に測定するための方法であって：
少なくとも２つの光源を使用して少なくとも２つの光で前記被験者の眼の少なくとも一方を照射すること；
イメージ捕獲機器を使用して前記被験者の眼の少なくとも一方のイメージを捕らえることであり、前記イメージは、前記被験者の眼の少なくとも一方からの少なくとも２つの光の反射を含むこと；
前記イメージを解析して前記被験者の眼の少なくとも一方の中の少なくとも２つの光の反射のそれぞれの位置を同定すること；及び
前記被験者の眼の少なくとも一方の中の少なくとも２つの光の反射のそれぞれの位置に基づいて斜位測定を特定すること、
を含む、前記方法。
【請求項７８】
前記被験者の眼の一方の中の少なくとも２つの光の前記反射のそれぞれの位置と前記被験者の眼の他方の中の少なくとも２つの光の前記反射のそれぞれの位置を比較することをさらに含む請求項７７の前記方法であって、前記斜位測定は、前記比較の結果に基づいて特定される、前記方法。
【請求項７９】
請求項７７−７８のいずれかの方法であって、前記イメージは、前記被験者の眼の少なくとも一方の角膜の外側もしくは内側表面またはレンズの外側もしくは内側表面の少なくとも一方からの少なくとも２つの光の反射を含む、前記方法。
【請求項８０】
前記被験者が視標を凝視する間に被験者の斜位を自動的に測定するための方法であって：
イメージ捕獲機器を使用して前記被験者の眼の少なくとも一方のイメージを捕らえることであり、前記イメージは、前記被験者の眼の少なくとも一方の中の目標を含むこと；
前記イメージを解析して前記被験者の眼の少なくとも一方の中の前記目標の位置を同定すること；及び
前記被験者の眼の少なくとも一方の中の前記目標の位置に基づいて斜位測定を特定すること、
を含む、前記方法。
【請求項８１】
請求項８０の方法であって、前記目標は、前記被験者の眼の少なくとも一方の中の特徴である、前記方法。
【請求項８２】
請求項８１の方法であって、前記特徴は、血管である、前記方法。
【発明の詳細な説明】
【技術分野】
【０００１】
関連出願の相互参照
本出願は、２０１３年１１月７日に出願されたＢａｉｌｅｙに対するＵ．Ｓ．  ｐｒｏｖｉｓｉｏｎａｌ  ｐａｔｅｎｔ  ａｐｐｌｉｃａｔｉｏｎ  ｎｕｍｂｅｒ  ６１／９０１，４３２，  “Ａｕｔｏｍａｔｅｄ  Ｄｅｔｅｃｔｉｏｎ  ｏｆ  Ｅｙｅ  Ａｌｉｇｎｍｅｎｔ，”の利益及びそれに対する優先権を主張し、その全体が参照文献として本明細書に援用され、及び本明細書の一部とされる。
【背景技術】
【０００２】
眼位の２つの主なずれは、斜視及び斜位と呼ばれている。斜視（また、斜視、やぶにらみ、内斜視と呼ばれる）は、被験者が同時に同じ対象に両方の眼の中心窩を示すことができないずれである。外斜視は、一方の眼が常に外へ向いている場合であり、及び内斜視は、一方の眼が常に内に向いている場合である。同様に、上斜視または下斜視は、一方の眼が常に上方または下方を向いている場合に生じる。ずれの第２のタイプ、斜位は、一方の眼がカバーされるときにのみ存在する潜在的なずれである。両方の眼が開いているとき、被験者は、同じ対象に両方の眼を向けることができる。外斜位が存在する場合、カバーされている眼は、カバーが除去されるまで外へ向くだろう。次いで、それは、他方の眼と同じ対象を凝視し始めるだろう。内斜位については、カバーされる眼は、カバーが除去されるまで内に向くだろう。上斜位または下斜位については、カバーされる眼は、カバーされない眼に対して上方または下方に向くだろう。斜視及び斜位の両方は、複視、不快の源であり、及び読むことに困難を生じさせ得る。斜視は、子供において弱視または弱視と呼ばれている永続的な視力喪失を生じさせ得る。これらの状態は、先天性及び／または遺伝的でありえ、または外傷性脳損傷を介して取得され得る。斜視及び斜位の両方は、これらが同定される場合に容易に治療可能な確立した医学的状態である。より早く人生において斜視が同定されると、治療は、永続的な視力喪失を逆転させる／防ぐだろうという可能性がより高い。
【０００３】
斜視及び斜位の臨床測定は、複視を引き起こすだろう天然に存在するか、または外傷性脳損傷のための視力問題を検出する複数の医療分野にわたって使用される。遮へい試験と呼ばれる眼位を測定するための主な現在の方法は、手動で、技術的に困難で、及び冗長である。自動化されたその他の広く使用されている臨床方法は、斜視が存在するかどうかを特定するのみであるが、これらの方法は、眼位、斜位におけるより通常のずれを検出しない。
【０００４】
また、手動または自動化されたいずれかの眼位を測定する全ての現在の方法は、視覚的無限より近い対象を見るように被験者が眼を調節させるか、または焦点を合わせるか否かを検出する能力を欠いている。眼位を測定する個人が、誰かが斜視または斜位測定が眼の外側位置に影響を及ぼす間の過剰または過小調節のために調節するか否か、すなわち、どれだけ眼が内または外へ向かうかを知っていることが有用である。
【０００５】
したがって、失明に至る、及び衰弱性眼位障害の検出及び治療を改善し、及び当該技術分野における課題を解決する方法、装置及びシステムが望まれ、そのいくつかは、上記に記述されている。
【発明の概要】
【課題を解決するための手段】
【０００６】
眼位の２つの主なずれの測定を自動化する装置及び方法を本明細書において記述した。
【０００７】
被験者が視標を凝視する間に被験者の斜位を自動的に測定するための実施例方法は、イメージ捕獲機器を使用して被験者の眼の少なくとも一方のイメージを捕らえることを含むことができる。イメージは、被験者の眼の少なくとも一方からの光の反射を含むことができる。また、方法は、イメージを解析して被験者の眼の少なくとも一方の中の光の反射の位置を同定し、及び被験者の眼の少なくとも一方の中の光の反射の位置に基づいて斜位測定を特定することを含むことができる。
【０００８】
任意に、方法は、被験者の眼の一方（たとえば、左眼または右眼）の中の光の反射の位置と被験者の眼の他方（たとえば、右眼または左眼）の中の光の反射の位置を比較することを含むことができる。斜位測定は、比較の結果に基づいて特定することができる。
【０００９】
任意に、イメージを解析して被験者の眼の少なくとも一方の中の光の反射の位置を同定する工程は、被験者の眼の少なくとも一方の目標に対して光の反射の位置を同定することを含むことができる。
【００１０】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００１１】
加えて、方法は、被験者の眼の少なくとも一方を順次カバーし、及びカバーを取ることを任意に含むことができる。加えて、イメージは、被験者の眼の少なくとも一方のカバーを取った後に捕らえることができる。加えて、方法は、被験者の眼の少なくとも一方のカバーを取った後の被験者の眼のイメージの配列を捕らえること及び配列におけるイメージの一方に対する配列におけるイメージの他方を比較して眼がカバーを取られた後の眼の動きを特定することを任意に含むことができる。あるいは、方法は、フィルタで被験者の眼の少なくとも一方をカバーすることを任意に含むことができ、イメージは、被験者の眼の少なくとも一方がフィルタによってカバーされる間に捕らえられる。フィルタは、被験者がフィルタを通して見ることができないように被験者に対して不透明であることができるが、フィルタは、特定の波長の光を通すことができる。したがって、イメージ捕獲機器は、フィルタを通して被験者の眼の少なくとも一方のイメージを捕らえることができる。
【００１２】
任意に、方法は、自動屈折測定を行うことを含むことができる。本明細書に使用されるように、自動屈折測定は、任意の公知の技術による被験者の眼の屈折力の測定であり、自動屈折または光屈折を含むが、限定されない。自動屈折測定は、たとえば、被験者が視標に焦点を合わせる間に行われることができる。イメージは、予定されている範囲内にある被験者の眼の屈折力に応じて任意に捕らえることができる。あるいは、または加えて、方法は、自動屈折測定に基づいて斜位測定を調整することを任意に含むことができる。
【００１３】
任意に、方法は、被験者の眼の少なくとも一方の中の光の反射の位置及び自動屈折測定に基づいて調節性輻輳調節比を算出することを含むことができる。
【００１４】
本明細書に使用されるように、被験者の少なくとも一方の眼は、被験者の左眼または右眼であることができる。任意に、斜位測定は、被験者の左眼または右眼に基づいて行うことができる。あるいは、被験者の少なくとも一方の眼は、被験者の左眼及び右眼であることができる。任意に、斜位測定は、被験者の左眼及び右眼に基づいて行うことができる。本開示は、被験者の左眼及び右眼に基づいた斜位測定が同じであり得る、または異なり得ることを想定している。
【００１５】
任意に、光は、電磁スペクトルの可視または非可視部分にあることができる。たとえば、光は、赤外線または可視光であることができる。赤外線及び可視光が例として提供されるが、本開示は、電磁スペクトルのその他の部分からの光を使用することができることを想定している。
【００１６】
任意に、方法は、光源を使用して光で被験者の眼の少なくとも一方を照射することを含むことができる。
【００１７】
被験者が視標を凝視する間に被験者の斜位を自動的に測定するための装置例は、被験者の眼、プロセッサ及びプロセッサと操作可能な通信をするメモリの少なくとも一方のイメージを捕らえるためのイメージ捕獲機器を含むことができる。メモリは、それに記憶されたコンピュータ実行可能な命令を有し、プロセッサによって実行されるときに、それはプロセッサにイメージ捕獲機器からのイメージを受け取らせ、イメージが被験者の眼の少なくとも一方からの光の反射を含む場合、イメージを解析して被験者の眼の少なくとも一方の中の光の反射の位置を同定させ、及び被験者の眼の少なくとも一方の中の光の反射の位置に基づいて斜位測定を特定することができる。
【００１８】
任意に、メモリは、それに記憶されたさらなるコンピュータ実行可能命令を有し、プロセッサによって実行されるときに、それはプロセッサに被験者の眼の一方（たとえば、左眼または右眼）の中の光の反射の位置と被験者の眼の他方（たとえば、右眼または左眼）の中の光の反射の位置を比較することができる。斜位測定は、比較の結果に基づいて特定することができる。
【００１９】
任意に、イメージを解析して被験者の眼の少なくとも一方の中の光の反射の位置を同定する工程は、被験者の眼の少なくとも一方の目標に対して光の反射の位置を同定することを含むことができる。
【００２０】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００２１】
任意に、イメージは、被験者の眼の少なくとも一方を順次カバーし、及びカバーを取った後に捕らえることができる。加えて、イメージ捕獲機器は、被験者の眼の少なくとも一方のカバーを取った後に被験者の眼のイメージの配列を捕らえるためのビデオ捕獲機器またはカメラであることができ、及びプロセッサは、コンピュータ読取り可能命令を実行して配列におけるイメージの一方に対して配列におけるイメージの他方と比較して眼のカバーを取った後の眼の動きを特定する。あるいは、イメージは、被験者の眼の少なくとも一方がフィルタによってカバーされている間に捕らえることができる。フィルタは、フィルタを通して被験者が見ることができないように被験者に対して不透明であることができるが、フィルタは、特定の波長の光を通すことができる。したがって、イメージ捕獲機器は、フィルタを通して被験者の眼の少なくとも一方のイメージを捕らえることができる。
【００２２】
任意に、装置は、ディスプレイ機器を含むことができる。装置は、第１の表面及び第１の表面の反対側に第２の表面を定義することができる。ディスプレイ機器は、第１の表面上に配置されることができ、及びイメージ捕獲機器は、第２の表面上に配置することができる。あるいは、または加えて、装置は、光で被験者の眼の少なくとも一方を照射するための光源を含むことができる。任意に、光源は、一方または複数の光源を含むことができる。光源は、光源の任意のタイプであることができる。たとえば、光源は、ビデオ捕獲機器周辺に配置される複数のＬＥＤを含むことができる。複数のＬＥＤ及びこれらの配置は、例としてのみ提供され、及び本開示は、光源のためのその他の数、タイプ及び／または配置を使用することを想定している。
【００２３】
任意に、装置は、被験者のために視標を提供することができる。加えて、メモリは、それに記憶されたさらなるコンピュータ実行可能命令を有し、プロセッサによって実行されるときに、それはプロセッサに被験者の眼の屈折力を測定する自動屈折測定を行わせることができる。本明細書に使用されるように、自動屈折測定は、任意の公知の技術による被験者の眼の屈折力の測定であり、自動屈折または光屈折を含むが、これらに限定されない。イメージは、予定されている範囲内にある被験者の眼の屈折力に応じて任意に捕らえることができる。あるいは、または加えて、メモリは、それに記憶されたさらなるコンピュータ実行可能命令を有し、プロセッサによって実行されるときに、それはプロセッサに自動屈折測定に基づいて斜位測定を調整させることができる。
【００２４】
あるいは、または加えて、メモリは、それに記憶されたさらなるコンピュータ実行可能命令を有し、プロセッサによって実行されるときに、それはプロセッサに被験者の眼の少なくとも一方の中の光の反射の位置及び自動屈折測定に基づいて調節性輻輳調節比を算出させることができる。
【００２５】
任意に、装置は、コンピューティング機器である。たとえば、コンピューティング機器は、任意にラップトップコンピュータ、タブレット型コンピュータまたは携帯電話などのモバイルコンピューティング機器であることができる。
【００２６】
上記のように、被験者の少なくとも一方の眼は、被験者の左眼または右眼であることができる。任意に、斜位測定は、被験者の左眼または右眼に基づいて行われることができる。あるいは、被験者の少なくとも一方の眼は、被験者の左眼及び右眼であることができる。任意に、斜位測定は、被験者の左眼及び右眼に基づいて行うことができる。本開示は、被験者の左眼及び右眼に基づいた斜位測定が同じであり得るか、または異なり得ることを想定している。
【００２７】
任意に、光は、電磁スペクトルの可視または非可視部分にあることができる。たとえば、光は、赤外線または可視光であることができる。赤外線及び可視光が例として提供されるが、本開示は、電磁スペクトルのその他の部分からの光を使用することができることを想定している。
【００２８】
被験者の眼の少なくとも一方の眼位を自動的に測定するための実施例における方法は、自動屈折測定を行うこと及びイメージ捕獲機器を使用して被験者の眼のイメージを捕らえることを含むことができる。上記のように、自動屈折測定は、任意の公知の技術による被験者の眼の屈折力の測定であり、自動屈折または光屈折を含むが、これらに限定されない。加えて、イメージは、被験者の眼のそれぞれからの光の反射を含むことができる。また、方法は、イメージを解析して、それぞれ、被験者の眼のそれぞれの中の光の反射の位置を同定し、及びそれぞれ、被験者の眼のそれぞれの中の光の反射の位置に基づいて被験者の眼の少なくとも一方の眼位測定を特定することを含むことができる。
【００２９】
任意に、イメージは、予定されている範囲内にある被験者の眼の少なくとも一方の屈折力に応じて捕らえられる。あるいは、方法は、自動屈折測定に基づいて被験者の眼の少なくとも一方の眼位測定を調整することを任意に含むことができる。加えて、方法は、被験者の眼の少なくとも一方の中の光の反射の位置及び自動屈折測定に基づいて調節性輻輳調節比を算出することを任意に含むことができる。
【００３０】
加えて、方法は、被験者の眼の一方（たとえば、左眼または右眼）の中の光の反射の位置と被験者の眼の他方（たとえば、右眼または左眼）の中の光の反射の位置を比較することを任意に含むことができる。斜位測定は、比較の結果に基づいて特定することができる。
【００３１】
任意に、イメージを解析してそれぞれ、被験者の眼のそれぞれの中の光の反射の位置を同定する工程は、それぞれ、被験者の眼のそれぞれの目標に対して光の反射の位置を同定することをさらに含む。
【００３２】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００３３】
任意に、被験者の眼の少なくとも一方の眼位を自動的に測定するための方法に関して、眼位測定は、斜位測定または斜視測定であることができる。
【００３４】
上記のように、被験者の眼の少なくとも一方は、被験者の左眼または右眼であることができる。あるいは、被験者の眼の少なくとも一方は、被験者の左眼及び右眼であることができる。
【００３５】
任意に、光は、電磁スペクトルの可視または非可視部分にあることができる。たとえば、光は、赤外線または可視光であることができる。赤外線及び可視光が例として提供されるが、本開示は、電磁スペクトルのその他の部分からの光を使用することができることを想定している。
【００３６】
任意に、方法は、光源からの光で被験者の眼を照射することを含むことができる。
【００３７】
被験者の眼の少なくとも一方の眼位を測定するための装置は、被験者の眼のイメージを捕らえるためのイメージ捕獲機器、プロセッサ及びプロセッサと操作可能な通信をするメモリを含むことができる。メモリは、それに記憶されたコンピュータ実行可能命令を有し、プロセッサによって実行されるときに、それはプロセッサに視標に焦点を合わせる間に被験者の眼の少なくとも一方の屈折力を測定する自動屈折測定を行わせ、イメージ捕獲機器から被験者の眼のそれぞれからの光の反射を含むイメージを受け取らせ、イメージを解析してそれぞれ、被験者の眼のそれぞれの中の光の反射の位置を同定させ、及びそれぞれ、被験者の眼のそれぞれの中の光の反射の位置に基づいて被験者の眼の少なくとも一方の眼位測定を特定することができる。
【００３８】
任意に、イメージは、予定されている範囲内にある被験者の眼の少なくとも一方の屈折力に応じて捕らえられる。あるいは、メモリは、それに記憶されたさらなるコンピュータ実行可能命令を有し、プロセッサによって実行されるときに、それはプロセッサに自動屈折測定に基づいて被験者の眼の少なくとも一方の眼位測定を調整させることができる。加えて、メモリは、それに記憶されたさらなるコンピュータ実行可能命令を有し、プロセッサによって実行されるときに、それはプロセッサに被験者の眼の少なくとも一方の中の光の反射の位置及び自動屈折測定に基づいて調節性輻輳調節比を算出させることができる。
【００３９】
加えて、メモリは、それに記憶されたさらなるコンピュータ実行可能命令を有し、プロセッサによって実行されるときに、それはプロセッサに被験者の眼の一方（たとえば、左または右眼）の中の光の反射の位置と被験者の眼の他方（たとえば、右または左眼）の中の光の反射の位置を比較させることができる。斜位測定は、比較の結果に基づいて特定することができる。
【００４０】
任意に、イメージを解析してそれぞれ、被験者の眼のそれぞれの中の光の反射の位置を同定する工程は、それぞれ、被験者の眼のそれぞれの目標に対して光の反射の位置を同定することをさらに含む。
【００４１】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００４２】
任意に、装置は、ディスプレイ機器を含むことができる。装置は、第１の表面及び第１の表面の反対側に第２の表面を定義することができる。ディスプレイ機器は、第１の表面上に配置されることができ、イメージ捕獲機器は、第２の表面上に配置することができる。任意に、装置は、光で被験者の眼を照射するための光源を含むことができる。あるいは、または加えて、光源は、一方または複数の光源を含むことができる。光源は、光源の任意のタイプであることができる。たとえば、光源は、ビデオ捕獲機器周辺に配置される複数のＬＥＤを含むことができる。複数のＬＥＤ及びこれらの配置は、例としてのみ提供され、及び本開示は、光源のためのその他の数、タイプ及び／または配置を使用することを想定している。
【００４３】
任意に、装置は、コンピューティング機器である。たとえば、コンピューティング機器は、任意にラップトップコンピュータ、タブレット型コンピュータまたは携帯電話などのモバイルコンピューティング機器であることができる。
【００４４】
任意に、被験者の眼の少なくとも一方の眼位を測定するための装置に関して、眼位測定は、斜位測定または斜視測定であることができる。
【００４５】
上記のように、被験者の少なくとも一方の眼は、被験者の左眼または右眼であることができる。あるいは、被験者の少なくとも一方の眼は、被験者の左眼及び右眼であることができる。
【００４６】
任意に、光は、電磁スペクトルの可視または非可視部分にあることができる。たとえば、光は、赤外線または可視光であることができる。赤外線及び可視光が例として提供されるが、本開示は、電磁スペクトルのその他の部分からの光を使用することができることを想定している。
【００４７】
少なくとも一方の眼の眼位を測定するための実施例方法は、被験者の眼の少なくとも一方の自動屈折測定を行うこと、被験者の眼の少なくとも一方の眼位測定を行うこと及び自動屈折測定に基づいて眼位測定を補正することを含むことができる。
【００４８】
上記のように、自動屈折測定は、任意の公知の技術による被験者の眼の屈折力の測定であり、自動屈折または光屈折を含むが、これらに限定されない。自動屈折測定は、たとえば、被験者が視標に焦点を合わせる間に行われることができる。任意に、自動屈折測定に基づいて眼位測定を補正する工程は、自動屈折測定が予定されている範囲内にあるときのみ眼位測定を行うことを含む。あるいは、自動屈折測定に基づいて眼位測定を補正する工程は、自動屈折測定に基づいて眼位測定を調整することを含む。
【００４９】
任意に、少なくとも一方の眼の眼位を測定するための方法に関して、眼位測定は、斜位測定または斜視測定であることができる。
【００５０】
被験者が視標を凝視する間に被験者の斜位を自動的に測定するための実施例における方法は、イメージ捕獲機器を使用して被験者の眼の少なくとも一方のイメージを捕らえることを含むことができる。イメージは、被験者の眼の少なくとも一方からの光の少なくとも２つの反射を含むことができる。たとえば、イメージは、被験者の眼の少なくとも一方の角膜の外側もしくは内側表面（たとえば、それぞれ第１または第２のプルキニエイメージ）または被験者の眼の少なくとも一方のレンズの外側（前方）もしくは内側（後方）表面（たとえば、それぞれ第３または第４のプルキニエイメージ）の少なくとも２つからの光の少なくとも２つの反射を含むことができる。本開示は、イメージが被験者の眼の任意の２つの表面からの光の少なくとも２つの反射を含むことができることを想定し、及び上の例（たとえば、第１から第４のプルキニエイメージ）に限定されるべきでない。また、方法は、イメージを解析して被験者の眼の少なくとも一方の中の光の中の少なくとも２つの反射のそれぞれの位置を同定し、及び被験者の眼の少なくとも一方の中の光の少なくとも２つの反射のそれぞれの位置に基づいて斜位測定を特定することを含むことができる。
【００５１】
任意に、方法は、被験者の眼の一方の中の光の中の少なくとも２つの反射のそれぞれの位置と被験者の眼の他方の中の光の少なくとも２つの反射のそれぞれの位置を比較することをさらに含むことができる。斜位測定は、比較の結果に基づいて特定することができる。
【００５２】
任意に、方法は、光源を使用して光で被験者の眼の少なくとも一方を照射することを含むことができる。
【００５３】
被験者が視標を凝視する間に被験者の斜位を自動的に測定するための実施例における方法は、２つの光源を使用して少なくとも２つの光で被験者の眼の少なくとも一方を照射すること及びイメージ捕獲機器を使用して被験者の眼の少なくとも一方のイメージを捕らえることを含むことができる。イメージは、被験者の眼の少なくとも一方からの少なくとも２つの光の反射を含むことができる。たとえば、イメージは、被験者の眼の少なくとも一方の角膜の外側もしくは内側表面（たとえば、それぞれ第１または第２のプルキニエイメージ）または被験者の眼の少なくとも一方のレンズの外側（前方）もしくは内側（後方）表面（たとえば、それぞれ第３または第４のプルキニエイメージ）の少なくとも一方からの少なくとも２つの光の反射を含むことができる。本開示は、イメージが被験者の眼の任意の表面からの少なくとも２つの光の反射を含むことができることを想定し、及び上の例（たとえば、第１から第４のプルキニエイメージ）に限定されるべきでない。また、方法は、イメージを解析して被験者の眼の少なくとも一方の中の少なくとも２つの光の反射のそれぞれの位置を同定することを含むこと及び被験者の眼の少なくとも一方の中の少なくとも２つの光の反射のそれぞれの位置に基づいて斜位測定を特定することができる。
【００５４】
任意に、方法は、被験者の眼の少なくとも一方の中の少なくとも２つの光の反射のそれぞれの位置と被験者の眼の他方の中の少なくとも２つの光の反射のそれぞれの位置を比較することを含むことができ、斜位測定は、比較の結果に基づいて特定される。
【００５５】
被験者が視標を凝視する間に被験者の斜位を自動的に測定するための実施例における方法は、イメージ捕獲機器を使用して被験者の眼の少なくとも一方のイメージを捕らえることを含むことができる。イメージは、被験者の眼の少なくとも一方の中の目標を含むことができる。任意に、目標は、たとえば、血管などの被験者の眼の少なくとも一方の中の特徴であることができる。本開示は、血管以外の目標を使用することができることを想定している。目標は、捕らえられた、及び捕らえられたイメージの中の定義可能な任意の特徴であることができる。また、方法は、イメージを解析して被験者の眼の少なくとも一方の中の目標の位置を同定し、及び被験者の眼の少なくとも一方の中の目標の位置に基づいて斜位測定を特定することを含むことができる。
【００５６】
また、上記の主題がコンピュータ制御された装置、コンピュータプロセス、コンピューティングシステムまたはコンピュータ読み出し可能記憶媒体などの製品として実行されてもよいことが理解されるべきである。
【００５７】
その他のシステム、方法、特徴及び／または利点は、以下の図面及び詳細な説明の検討に応じて当業者にとって明らかだろう、または明らかになり得る。全てのこのようなさらなるシステム、方法、特徴及び／または利点が、この記述の中に含まれ、及び添付の請求の範囲によって保護されていることが意図される。
【００５８】
図面における構成要素が、必ずしも互いに対して一定の割合であるというわけではない。引用例と同様に、数字は、いくつかの図の全体にわたって対応する部分を指定する。
【図面の簡単な説明】
【００５９】
【図１Ａ】本明細書において記述した実施形態に従った眼位の自動化された検出を行うための装置例を図示する。
【図１Ｂ】本明細書において記述した実施形態に従った眼位の自動化された検出を行うための装置例を図示する。
【図１Ｃ】本明細書において記述した実施形態に従った眼位の自動化された検出を行うための装置例を図示する。
【図２】コンピューティング機器例のブロック図である。
【図３Ａ】斜位測定のための自動化された試験例を図示する。
【図３Ｂ】斜位測定のための自動化された試験例を図示する。
【図３Ｃ】斜位測定のための自動化された試験例を図示する。
【図３Ｄ】斜位測定のための自動化された試験例を図示する。
【図３Ｅ】斜位測定のための自動化された試験例を図示する。
【図４】被験者が視標を凝視する間に被験者の斜位を自動的に測定するための方法についてのフローチャート例を図示する。
【図５】被験者の眼の少なくとも一方の眼位を自動的に測定するための実施例における方法についてのフローチャートを図示する。
【図６】少なくとも一方の眼の眼位を測定するための他方の実施例における方法のフローチャートを図示する。
【図７】被験者が視標を凝視する間に被験者の斜位を自動的に測定するための他方の実施例における方法のフローチャートを図示する。
【図８】被験者が視標を凝視する間に被験者の斜位を自動的に測定するためのさらに他方の実施例における方法のフローチャートを図示する。
【図９】被験者が視標を凝視する間に被験者の斜位を自動的に測定するための他方の実施例における方法のフローチャートを図示する。
【発明を実施するための形態】
【００６０】
詳細な説明
別途定義されない限り、本明細書において使用される全ての専門用語及び科学用語は、当業者によって一般に理解されるのと同じ意味を有する。本明細書において記述したものと類似または均等な方法及び材料は、本開示の実践または試験において使用することができる。本明細書において、及び添付の請求の範囲において使用されるように、単数形、文脈が別途はっきり指示しない限り、「一つ」、「一つ」、「該」は、複数対象を含む。本明細書に使用される用語「含むこと」及びそのバリエーションは、用語「含むこと」及びそのバリエーションと同義的に使用され、及び制約のない、非限定的な用語である。本明細書に使用される用語「随意の」または「任意に」は、その後記述された特徴、イベントまたは環境が生じ得るか、または生じ得ない、及び記述が前記特徴、イベントまたは環境が生じる例及びそれがしない例を含むことを意味する。実施形態が眼の横方向眼位の自動化された検出について記述されるだろう一方で、実施形態がそれに限定されないことは当業者に明らかになるだろう。たとえば、実施形態は、垂直の眼位及び潜在的に回転ねじれ眼位問題を伴う問題を検出するのに使用することができる。
【００６１】
ここで図１Ａ−１Ｃを参照して、眼位の自動化された検出を行うための装置例１００を示す。装置１００は、下の詳細において記述した斜位及び／または斜視を測定するための自動化された技術のいずれかを行うのに使用することができる。図１Ａは、装置１００の第１の表面（たとえば、前面）１００Ａを図示する。図１Ｂは、第１の表面１００Ａの反対側にある第２の表面（たとえば、裏面）１００Ｂを図示する。任意に、装置１００は、光で被験者の眼の一方または複数を照射するための光源１２０、被験者の眼の一方または複数のイメージを捕らえるためのカメラなどのイメージ捕獲機器１１０、プロセッサ及びプロセッサと操作可能な通信をするメモリを含むことができる。プロセッサ及びメモリを図１Ａ−１Ｃに示さないが、プロセッサ及びメモリを下の図２に関して詳細に記述する。任意に、イメージ捕獲機器１１０は、ビデオ捕獲機器であることができる。また、装置１００は、ディスプレイ機器１３０を含むことができる。図１Ａ−１Ｃに示したように、ディスプレイ機器１３０は、第１の表面１００Ａ上に配置されることができ、イメージ捕獲機器１２０及び光源１１０は、第２の表面１００Ｂ上に配置することができる。
【００６２】
任意に、装置１００は、たとえばタブレット型コンピュータまたは携帯電話などのモバイルコンピューティング機器を収納するためのケース１８０を含むことができる。モバイルコンピューティング機器は、一方または複数の入力／出力機器を含むことができる。たとえば、モバイルコンピューティング機器は、タッチセンシティブ式ディスプレイ機器を任意に含むことができる。タッチセンシティブ式ディスプレイ機器は、ケースを介して利用可能である／目に見えることができる。あるいは、または加えて、モバイルコンピューティング機器は、ケースを介して利用可能である／目に見える一方または複数のスイッチ、ノブまたはその他の制御するものを任意に含むことができる。装置１００は、エルゴノミクス設計を有することができる。加えて、装置１００は、視覚的標識を提供することができる。たとえば、図１Ａに示したように、装置１００は、第２の表面１００Ｂ上に配置されるイメージ捕獲機器１１０と協調する第１の表面１００Ａ上の視覚的位置入力装置１４０を提供することができる。あるいは、または加えて、図１Ｂに示したように、装置１００は、第２の表面１００Ｂ上の視覚的位置入力装置１５０を提供して視標を被験者に提供することができる。任意に、視覚的位置入力装置１５０は、被験者が眼位試験の間に凝視するイメージ捕獲機器１１０の近くに配置される「十字線」（または別の標識）であることができる。任意に、図１Ｂに示したように、装置１００は、第２の表面１００Ｂ上の一方または複数の浮き出した部分１６０を提供して装置１００を平らな表面から捕らえるのを容易にすることができる。
【００６３】
随意の光源１２０は、単数または複数の光源を含むことができる。本開示は、光源１２０が光源の任意のタイプであることができることを想定している。たとえば、図１Ｂに示したように、光源１２０は、その装置１００を含むケースに組み込まれ、イメージ捕獲機器１１０周辺に配置される複数のＬＥＤ（たとえば、環で配置される１２個のＬＥＤ）を含むことができる。図１Ｂに示した複数のＬＥＤ及びこれらの配置は、例として提供されるのみであり、及び本開示は、光源１２０のためのその他の数、タイプ及び／または配置を使用することを想定している。あるいは、本発明の実施形態において、さらなる光源は、提供されず、及び装置１００は、周辺または自然光を利用する。あるいは、ランプ、懐中電灯及び同様のものなどの別々の光源は、本発明の実施形態を実践するのに使用することができる。
【００６４】
図１Ｃは、眼位の自動化された検出を行うための装置１００の横方向態様図である。図１Ａ−１Ｃが、たとえば、眼位の自動化された検出を行うためのケース１８０に組み込まれた、タブレット型コンピュータまたは携帯電話などのモバイルコンピューティング機器を一般に図示する一方、本発明は、この実施形態に限定されないことになっている。装置は、被験者の眼の少なくとも一方のイメージを捕らえるための少なくとも一方のイメージ捕獲機器；プロセッサ；及びプロセッサと操作可能な通信をするメモリを含むスタンドアロンであることができる。その他の実施形態において、装置は、Ｇｏｏｇｌｅ  Ｇｌａｓｓなどの機器（Ｇｏｏｇｌｅ  Ｃｏｒｐｏｒａｔｉｏｎ，  Ｍｏｕｎｔａｉｎ  Ｖｉｅｗ，  Ｃａｌｉｆｏｒｎｉａ  ＵＳＡ）、腕時計、その他の視力試験装置及び機器、並びに同様のものを利用する、またはそれに組み込むことができる。
【００６５】
本明細書において記述した論理演算がソフトウェアにおいて実行されるとき、プロセスは、コンピューティングアーキテクチャまたはプラットホームの任意のタイプ上で実行されてもよい。たとえば、図２を参照して、本発明の実施形態が実行され得るコンピューティング機器例を図示する。コンピューティング機器２００は、任意にラップトップコンピュータ、タブレット型コンピュータまたは携帯電話などのモバイルコンピューティング機器であることができる。コンピューティング機器２００は、コンピューティング機器２００の種々の構成要素の中の情報を伝達するために、バスまたはその他の連絡機構を含んでいてもよい。その最も基本の構成において、コンピューティング機器２００は、少なくとも一方のプロセシングユニット２０６及びシステムメモリ２０４を典型的に含む。正確な構成及びコンピューティング機器のタイプに応じて、システムメモリ２０４は、揮発性（ランダムアクセスメモリ（ＲＡＭ）など）、不揮発性（読み取り専用メモリ（ＲＯＭ）、フラッシュメモリ、その他など）または２つのいくつかの組み合わせでもよい。この最も基本の構成を破線２０２によって図２に図示する。プロセシングユニット２０６は、コンピューティング機器２００の操作のために必要な算術及び論理演算を行う標準的なプログラマブルプロセッサでもよい。
【００６６】
コンピューティング機器２００は、さらなる特徴／機能性を有してもよい。たとえば、コンピューティング機器２００は、磁気または光ディスクまたはテープを含むが、限定されない取り外し可能記憶装置２０８及び取り外し不可能記憶装置２１０などのさらなる記憶装置を含んでいてもよい。また、コンピューティング機器２００は、機器がその他の機器と通信することができるネットワークコネクション（群）２１６を含んでいてもよい。また、コンピューティング機器２００は、キーボード、マウス、タッチスクリーン、その他などの入力機器（群）２１４を有してもよい。また、ディスプレイ、スピーカー、プリンター、その他などの出力機器（群）２１２も含まれる。さらなる機器は、コンピューティング機器２００の構成要素間のデータの連絡を容易にするためにバスに接続していてもよい。全てのこれらの機器は、当該技術分野において周知であり、及び本明細書において詳細に考察される必要はない。
【００６７】
プロセシングユニット２０６は、有形の、コンピュータ読取り可能媒体にコードされるプログラムコードを実行するように構成されていてもよい。コンピュータ読取り可能媒体は、コンピューティング機器２００（すなわち、機械）に特定の様式で作動させるデータを提供することができる任意の媒体をいう。種々のコンピュータ読取り可能媒体は、実行のための命令をプロセシングユニット２０６に提供するように利用されてもよい。コンピュータ読取り可能媒体の共通の形態は、たとえば磁気媒体、光学的媒体、物理的媒体、メモリチップまたはカートリッジ、搬送波またはコンピュータが読むことができる任意のその他の媒体を含む。コンピュータ読取り可能媒体例は、揮発性媒体、不揮発性媒体及び伝送媒体を含んでもよいが、これらに限定されない。揮発性及び不揮発性媒体は、コンピュータ読取り可能命令、データ構造、プログラムモジュールまたはその他のデータなどの情報の記憶のための任意の方法または技術において実行されてもよく、及び一般の様式は、下の詳細において考察される。伝送媒体は、同軸ケーブル、銅線及び／または光ファイバーケーブル並びに電波及び赤外線データ通信の間に発生されるものなどの超音波または光波を含んでいてもよい。有形の例、コンピュータ読取り可能記録媒体は、集積回路（たとえば、フィールドプログラマブルゲートアレイまたは特定用途向けＩＣ、ハードディスク、光ディスク、光磁気ディスク、フロッピー（登録商標）ディスク、磁気テープ、ホログラフィック記憶媒体、ソリッドステート装置、ＲＡＭ、ＲＯＭ、電気的に消去可能なプログラム読み取り専用メモリ（ＥＥＰＲＯＭ）、フラッシュメモリまたはその他のメモリ技術、ＣＤ−ＲＯＭ、デジタル多用途ディスク（ＤＶＤ）またはその他の光学的記憶装置、磁気カセット、磁気テープ、磁気ディスク記憶装置またはその他の磁気記憶装置を含むが、これらに限定されない。
【００６８】
例示的実施例において、プロセシングユニット２０６は、システムメモリ２０４に記憶されたプログラムコードを実行してもよい。たとえば、バスが、データをシステムメモリ２０４へ伝えてもよく、プロセシングユニット２０６は、命令を受け取り、及び実行する。システムメモリ２０４によって受け取られたデータは、プロセシングユニット２０６によって実行前または後に取り外し可能記憶装置２０８または取り外し不可能な記憶装置２１０に任意に記憶されていてもよい。
【００６９】
コンピューティング機器２００は、様々なコンピュータ読取り可能媒体を典型的には含む。コンピュータ読取り可能媒体は、装置２００によってアクセスされることができ、揮発性及び不揮発性両方の媒体、取り外し可能及び取り外し不可能な媒体を含む任意の利用可能な媒体であることができる。コンピュータ記憶媒体は、コンピュータ読取り可能命令、データ構造、プログラムモジュールまたはその他のデータなどの情報の記憶のための任意の方法または技術において実行される揮発性及び不揮発性並びに取り外し可能及び取り外し不可能な媒体を含む。システムメモリ２０４、取り外し可能記憶装置２０８及び取り外し不可能な記憶装置２１０は、コンピュータ記憶媒体の全ての例である。コンピュータ記憶媒体は、ＲＡＭ、ＲＯＭ、電気的に消去可能なプログラム読み取り専用メモリ（ＥＥＰＲＯＭ）、フラッシュメモリまたはその他のメモリ技術、ＣＤ−ＲＯＭ、デジタル多用途ディスク（ＤＶＤ）またはその他の光学的記憶装置、磁気カセット、磁気テープ、磁気ディスク記憶装置またはその他の磁気記憶機器または所望の情報を記憶するのに使用することができる、及びコンピューティング機器２００によってアクセスすることができる任意のその他の媒体を含むが、これらに限定されない。そのようなコンピュータ記憶媒体は、コンピューティング機器２００の部分でもよい。
【００７０】
本明細書において記述した種々の技術が、ハードウェアもしくはソフトウェアに関連して、または適切な場合、それらの組み合わせで実行されてもよいことが理解されるべきである。したがって、現在開示した主題の方法及び装置またはそれらの一定の態様もしくは部分は、フロッピー（登録商標）ディスケット、ＣＤ−ＲＯＭ、ハードドライブまたは任意のその他の機械読取り可能記憶媒体などの有形媒体において実施されるプログラムコード（すなわち、命令）の形態を取ってもよく、プログラムコードがロードされ、及びコンピューティング機器などの機械によって実行されるときに、機械は、現在開示した主題を実践するための装置になる。プログラム可能なコンピュータ上のプログラムコード実行の場合において、コンピューティング機器は、プロセッサ、プロセッサによって読取り可能な記憶媒体（揮発性及び不揮発性メモリ及び／または記憶装置エレメントを含む）、少なくとも一方の入力装置及び少なくとも一方の出力装置を一般に含む。一方または複数のプログラムは、現在開示した主題に関連して、たとえばアプリケーションプログラミングインタフェース（ＡＰＩ）、再使用可能な制御するものまたは同様のものの使用を通して、記述されたプロセスを実行しても、または利用してもよい。このようなプログラムは、高レベル手続き形またはオブジェクト指向プログラミング言語において実行されて、コンピュータシステムと通信してもよい。しかし、プログラム（群）は、必要に応じて、アセンブリーまたは機械語において実行することができる。いずれの場合でも、言語は、コンパイル済または解釈済言語でもよく、及びそれはハードウェア実装と組み合わされてもよい。
【００７１】
本明細書において記述した自動化された眼位測定のための技術は、ラップトップコンピュータ、タブレット型コンピュータまたは携帯電話などのモバイルコンピューティング機器で任意に実行することができる。したがって、モバイルコンピューティング機器は、従来の機器と比較して極めて小さく、及び非常に携帯型であり、それは眼位についての試験が複数の凝視で行われることを必要とするときにモバイルコンピューティング機器が使用することを可能にする。これは、脳神経の統合性を試験することがこの試験の複数の凝視態様に依存するので、検眼、眼科学、神経学及び救急医療のために重要である。多くの従来の機器は、被験者がこの試験の間にまっすぐに前を見るのみを必要とする顎当てを有する。従来の装置とは異なり、モバイルコンピューティング機器は、眼をなおも見ることができ、かつ測定を行うことができる被験者の頭部に対して任意の位置に置くことができる。また、これは、脳神経試験が臨床医にとって行うのが大変であろう仰向きである外傷性脳損傷被験者に当てはまる。
【００７２】
上記のように、斜位は、一方の眼がカバーされるときにのみ存在する潜在的なずれである。両方の眼が開いており、及びカバーされていないとき、被験者は、同じ対象に両方の眼を向けることができる。下で記述した自動化された斜位測定試験を使用して、手動測定方法、遮へい試験において典型的に使用される斜視または斜位測定の大きさ及び方向のプリズム評価の必要性をなくすことが可能である。その代わりに、イメージ捕獲機器及び光源を伴うコンピューティング機器（たとえば、図１Ａ−１Ｂに示した装置）を使用することができる。実行例（図３Ａ−３Ｅ）において、自動化された斜位測定試験は、プルキニエＩイメージ（すなわち、角膜の外側表面の光の反射）を使用することができる。臨床医は、イメージ捕獲機器（たとえば、カメラ、ビデオカメラ、その他）がカバーされた眼及びプルキニエイメージＩのためにカバーを取られた眼を記録する間に、被験者の眼の一方を通常通りカバーする、及びカバーを除去することができる。カバーが除去された後で、イメージ捕獲機器は、両方の眼についてプルキニエＩイメージを記録する。たとえば、イメージ捕獲機器は、一連の静止画像または連続的なビデオを記録することができる。カバーを取られた眼が、一旦カバーが除去されると、再び対象を見るのにおよそ１〜２秒かかる。したがって、これらの１〜２秒の間に捕らえたイメージが解析される。実際の測定は、これらが両眼における虹彩の可視部分の中に位置するところに対してプルキニエＩイメージの位置を見ることによって達成される。これらの相対位置から、眼がカバーの下で向いているところを特定すること、すなわち、斜視のためのヒルシュベルグ試験に類似である様式で斜位測定ができる。
【００７３】
任意に、自動化された斜視及び斜位測定は、自動屈折で得られた眼の屈折力の測定で行うことができる。被験者が非常に遠くで見ている場合、自動屈折で測定される眼の屈折力は、被験者の眼鏡処方箋の評価である。しかし、被験者が近い標的を見る場合、自動屈折器は、被験者がどれだけその近い対象を見るために焦点を合わせているか測定することができる。斜視及び斜位測定は、被験者が遠くで見る間、及びまた、被験者が近い標的を見る間に常に行われる。遠い測定の間に眼が完全に弛緩されること及び近い測定の間に眼が正確に焦点を合わせていることが重要である。近い斜視及び斜位測定は、被験者が異常な調節性輻輳調節（ＡＣ／Ａ）比を有する場合のみ遠い斜視及び斜位測定と異なるだろう。ＡＣ／Ａ比は、近い標的に焦点を合わせるための屈折力のそれぞれの単位（たとえば、調節、Ａ）に対してこれらが目を内部に向けさせる（たとえば、調節性輻輳、ＡＣ）量である。調節及び調節性輻輳は、神経学的に関連づけられる。異常なＡＣ／Ａをもつ者が、近い標的に不十分または過剰に焦点を合わせる場合、臨床医は、被験者が正確に焦点を合わせている場合とは異なる近い斜位または斜視測定を得るだろう。ＡＣ／Ａは、誰かに調節の異なる量を必要とする２つ以上の異なる標的を見させること（２つの異なる分母、「Ａ」）、及び調節性輻輳（分子、「ＡＣ」）を比較し、及び一方の標的とその他の標的についての輻輳との間の相違を算出してＡＣ／Ａを特定することによって算出することができる。本明細書で記述した技術によれば、同じカメラ及び光を、同時の斜視／斜位及び自動屈折測定を行うのに使用することができる。これは、臨床医が、被験者が一定のレベルで調節するときにのみ測定を行うことまたは発揮された調節性の労力に基づいて斜視／斜位測定を調整し、したがって測定の精度を改善することを可能にする。
【００７４】
加えて、これらの同じイメージング測定の全ては、それぞれの被験者のＡＣ／Ａの測定を提供する。したがって、どれだけ眼が両方の眼のためのプルキニエＩイメージの位置から内部へ向いたか（たとえば、調節性輻輳、ＡＣ）及びどれだけ被験者が調節したか（Ａ）を特定することが可能である。現在、ＡＣ／Ａの自動化された測定はない。現在、遮へい試験は、調節の異なるレベルを要求する複数の距離で行われ、及び比は、少なくとも２つのこのような測定から特定され、またはレンズが眼の前に置かれ、及び臨床医は、被験者がレンズと同じ量を調節すると仮定する。斜位測定は、調節性輻輳（ＡＣ）を特定するためにレンズで、及びそれなしで行われる。
【００７５】
ここで図３Ａ−３Ｅを参照して、斜位測定のための自動化された試験例を示す。図３Ａにおいて、被験者の左右の眼は、同じ場所で焦点を合わせる。被験者の眼（たとえば、被験者の眼の少なくとも一方）は、光源を使用して光で照射することができる。任意に、周囲または自然光を使用されることができ、さらなる光源は必要とされない。任意に、光は、電磁スペクトルの可視または非可視部分にあることができる。たとえば、光は、赤外線または可視光であることができる。赤外線及び可視光が例として提供されるが、本開示は、電磁スペクトルのその他の部分からの光を使用することができることを想定している。
【００７６】
被験者の眼のイメージは、たとえばイメージ捕獲機器を使用して捕らえることができる。図３Ａに示したように、イメージは、被験者の眼からの光の反射または他方の目標特徴（血管、虹彩の可視部分、虹彩特徴、瞳孔の中心、可視虹彩直径の中心、その他）を含むことができる。たとえば、被験者の右眼３０２からの光の反射３０２Ａ及び被験者の左眼３０４からの光の反射３０４Ａを示す。任意に、イメージは、被験者の眼の角膜の外側もしくは内側表面の少なくとも一方からの光の反射を含むことができる（たとえば、それぞれ第１または第２のプルキニエイメージ）。あるいは、または加えて、イメージは、被験者の眼のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。さらに、本開示は、眼の任意のその他の特徴（血管、虹彩の可視部分、虹彩特徴、瞳孔の中心、可視虹彩直径の中心、その他）がその位置または動きを追跡するのに使用されることができ、したがって、反射を必要としないことを想定している。
【００７７】
図３Ａにおいて、距離「Ａ」は、被験者の右眼３０２からの光の反射３０２Ａと被験者の右眼３０２の虹彩の可視部分３０２Ｂとの間の距離であり、及び距離「Ｂ」は、被験者の左眼３０４からの光の反射３０４Ａと被験者の左眼３０４の虹彩の可視部分３０４Ｂとの間の距離である。距離「Ａ」が距離「Ｂ」に等しいので、斜視は存在しない。斜位が存在するかどうか特定するために、被験者の眼の一方を順次カバーして、及びカバーを取ることができる。任意に、イメージの配列は、被験者の眼の一方のカバーを取った後に捕らえることができる。下記のように、イメージの配列の一方における被験者の眼の少なくとも一方の中の光の反射を、イメージの配列の他方における被験者の眼の少なくとも一方の中の光の反射の位置と比較して、被験者の眼がカバーを取られた後の任意の動きを特定することができ、及び斜位または斜視の大きさ及び方向を動きから算出することができる。
【００７８】
図３Ｂにおいて、被験者の左眼３０４は、カバー３０６でカバーされる。図３Ｃにおいて、被験者の左眼３０４は、部分的にカバーが取られる。上記のように、イメージは、被験者の左眼３０４を順次カバーし、及びカバーを取ることで捕らえることができる。図３Ｄにおいて、被験者の左眼３０４は、完全にカバーが取られる。上と類似して、被験者の眼のイメージは、被験者の左眼３０４が完全にカバーを取られるときに、イメージ捕獲機器を使用して捕らえることができる。図３Ｄに示したように、イメージは、被験者の眼からの光の反射を含むことができ、たとえば、被験者の右眼３０２からの光の反射３０２Ａ及び被験者の左眼３０４からの光の反射３０４Ａを示す。図３Ｄにおいて、距離「Ａ」は、被験者の右眼３０２からの光の反射３０２Ａと被験者の右眼３０２の虹彩の可視部分３０２Ｂとの間の距離であり、及び距離「Ｂ」は、被験者の左眼３０４からの光の反射３０４Ａと被験者の左眼３０４の虹彩の可視部分３０４Ｂとの間の距離である。距離「Ａ」が距離「Ｂ」に同等でないので、斜位は存在する。たとえば、図３Ｄにおいて、距離「Ｂ」が距離「Ａ」未満であるので、外斜位は存在する。斜位測定は、図３Ｄにおける被験者の眼の中の光の反射の位置に基づいて特定することができる。
【００７９】
およそ１〜２秒後、被験者の左眼３０４（たとえば、順次カバーして、及びカバーを取った眼）は、被験者の右眼３０２と再び同じ場所に焦点を合わせ始める。したがって、図３Ｅに示したように、距離「Ａ」は、被験者の右眼３０２からの光の反射３０２Ａと被験者の右眼３０２の虹彩の可視部分３０２Ｂとの間の距離であり、及び距離「Ｂ」は、被験者の左眼３０４からの光の反射３０４Ａと被験者の左眼３０４の虹彩の可視部分３０４Ｂとの間の距離である。距離「Ａ」が距離「Ｂ」に等しいので、斜視は存在しない。
【００８０】
種々の図に関して本明細書において記述した論理演算が、（１）コンピューティング機器上で実行するコンピュータ実行動作またはプログラムモジュール（すなわち、ソフトウェア）の配列として、（２）コンピューティング機器の中の相互接続した機械論理回路または回路モジュール（すなわち、ハードウェア）及び／または（３）コンピューティング機器のソフトウェア及びハードウェアの組み合わせとして実行されてもよいことが理解されるべきである。したがって、本明細書において考察した論理演算は、ハードウェア及びソフトウェアの任意の特定の組み合わせに限定されない。実行は、コンピューティング機器の性能及びその他の要求に依存的な選択の問題である。したがって、本明細書において記述した論理演算は、操作、構造的機器、動作またはモジュールとして多様に呼ばれる。これらの操作、構造的機器、動作及びモジュールは、ソフトウェアにおいて、ファームウェアにおいて、特別な目的のデジタル論理及びそれらの任意の組み合わせにおいて実行されてもよい。また、本明細書において図に示し、及び記述したよりも多いまたは少ない操作が行われてもよいことが、認識されるべきである。また、これらの操作は、本明細書において記述したものと異なる順番で行われてもよい。
【００８１】
図４は、被験者が視標を凝視する間に被験者の斜位を自動的に測定するための実施例における方法を図示する。方法のこの実施形態は、イメージ捕獲機器を使用して被験者の眼の少なくとも一方のイメージを捕らえる工程４０２を含むことができる。イメージは、被験者の眼の少なくとも一方からの光の反射を含むことができる。また、方法は、イメージを解析して被験者の眼の少なくとも一方の中の光の反射の位置を同定する工程４０４及び被験者の眼の少なくとも一方の中の光の反射の位置に基づいて斜位測定を特定する工程４０６を含むことができる。
【００８２】
任意に、方法は、被験者の眼の一方（たとえば、左眼または右眼）の中の光の反射の位置と被験者の眼の他方（たとえば、右眼または左眼）の中の光の反射の位置を比較することを含むことができる。斜位測定は、比較の結果に基づいて特定することができる。
【００８３】
任意に、イメージを解析して被験者の眼の少なくとも一方の中の光の反射の位置を同定する工程は、被験者の眼の少なくとも一方の目標に対して光の反射の位置を同定することを含むことができる。
【００８４】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００８５】
加えて、方法は、被験者の少なくとも一方の眼を順次カバーし、及びカバーを取ることを任意に含むことができる。加えて、イメージは、被験者の眼の少なくとも一方のカバーを取った後に捕らえることができる。加えて、方法は、被験者の眼の少なくとも一方のカバーを取った後に被験者の眼のイメージの配列を捕らえること及びイメージの配列の一方における被験者の眼のうちの少なくとも一方の中の光の反射に対してイメージの配列の他方における被験者の眼少なくとも一方の中の光の反射の位置を比較して、被験者の眼がカバーを取られた後の任意の動きを特定することを任意に含むことができる。
【００８６】
あるいは、方法は、フィルタで被験者の眼の少なくとも一方をカバーすることを含むことができ、イメージは、被験者の眼の少なくとも一方をフィルタによってカバーされる間に捕らえる。フィルタは、被験者がフィルタを通して見ることできないように、被験者に対して不透明であることができるが、フィルタは、特定の波長（たとえば、赤外光）の光を通すことができる。フィルタ例は、ＥＡＳＴＭＡＮ  ＫＯＤＡＫ  ＣＯＭＰＡＮＹ  ｏｆ  ＲＯＣＨＥＳＴＥＲ，  ＮＹからのＷＲＡＴＴＥＮ  ＃８９Ｂである。ＷＲＡＴＴＥＮ  ＃８９Ｂが例としてのみ提供され、及び赤外線以外の波長で光を通すフィルタを含むその他のフィルタが使用することができることが理解されるべきである。したがって、イメージ捕獲機器は、フィルタを通して被験者の眼の少なくとも一方のイメージを捕らえることができる。言い換えれば、眼位測定は、被験者の眼の少なくとも一方を順次カバーし、及びカバーを取ることなしに行うことができる。
【００８７】
任意に、方法は、自動屈折測定を行うことを含むことができる。本明細書に使用されるように、自動屈折測定は、任意の公知の技術による被験者の眼の屈折力の測定であり、自動屈折または光屈折を含むが、これらに限定されない。自動屈折測定は、たとえば、被験者が視標に焦点を合わせる間に行われることができる。イメージは、予定されている範囲内にある被験者の眼の屈折力に応じて任意に捕らえることができる。あるいは、または加えて、方法は、自動屈折測定に基づいて斜位測定を調整することを任意に含むことができる。
【００８８】
任意に、方法は、被験者の眼の少なくとも一方の中の光の反射の位置及び自動屈折測定に基づいて調節性輻輳調節比を算出することを含むことができる。
【００８９】
図５は、被験者の眼の少なくとも一方の眼位を自動的に測定するための実施例方法のためのフローチャートを図示する。方法のこの実施形態は、自動屈折測定を行い、及びイメージ捕獲機器を使用して被験者の眼のイメージを捕らえる工程５０２を含むことができる。上記のように、自動屈折測定は、任意の公知の技術による被験者の眼の屈折力の測定であり、自動屈折または光屈折を含むが、これらに限定されない。加えて、イメージは、被験者の眼のそれぞれからの光の反射を含むことができる。また、方法は、イメージを解析してそれぞれ、被験者の眼のそれぞれの中の光の反射の位置を同定し、及びそれぞれ、被験者の眼のそれぞれの中の光の反射の位置に基づいて被験者の眼の少なくとも一方の眼位測定を特定する工程５０４を含むことができる。
【００９０】
任意に、イメージは、予定されている範囲内にある被験者の眼の少なくとも一方の屈折力に応じて捕らえる。あるいは、方法は、自動屈折測定に基づいて被験者の眼の少なくとも一方の眼位測定を調整する工程５０６を任意に含むことができる。加えて、方法は、被験者の眼の少なくとも一方の中の光の反射の位置及び自動屈折測定に基づいて調節性輻輳調節比を算出することを任意に含むことができる。
【００９１】
加えて、方法は、被験者の眼の一方（たとえば、左または右眼）の中の光の反射の位置と被験者の眼の他方（たとえば、右眼または左眼）の中の光の反射の位置を比較することを、任意に含むことができる。斜位測定は、比較の結果に基づいて特定することができる。
【００９２】
任意に、イメージを解析してそれぞれ、被験者の眼のそれぞれの中の光の反射の位置を同定する工程は、それぞれ、被験者の眼のそれぞれの目標に対して光の反射の位置を同定することをさらに含む。
【００９３】
任意に、イメージは、被験者の眼の少なくとも一方の角膜の外側もしくは内側表面の少なくとも一方からの光の反射を含むことができる（たとえば、それぞれ第１または第２のプルキニエイメージ）。あるいは、または加えて、イメージは、被験者の眼の少なくとも一方のレンズの外側（前方）または内側（後方）表面の少なくとも一方からの光の反射を含むことができる（たとえば、それぞれ第３または第４のプルキニエイメージ）。言い換えれば、イメージは、第１、第２、第３または第４のプルキニエイメージであることができる。第１から第４のプルキニエイメージが例として提供されるが、本開示は、イメージが被験者の眼の任意の表面からの光の反射を含むことができることを想定している。
【００９４】
任意に、眼位測定は、斜位測定または斜視測定であることができる。
【００９５】
図６は、少なくとも一方の眼の眼位を測定するための他方の実施例方法のフローチャートを図示する。方法のこの実施形態は、被験者の眼の少なくとも一方の自動屈折測定を行う工程６０２、被験者の眼の少なくとも一方の眼位測定を行う工程６０４及び自動屈折測定に基づいて眼位測定を補正する工程６０６を含むことができる。
【００９６】
上記のように、自動屈折測定は、任意の公知の技術による被験者の眼の屈折力の測定であり、自動屈折または光屈折を含むが、これらに限定されない。自動屈折測定は、たとえば、被験者が視標に焦点を合わせる間に行われることができる。任意に、自動屈折測定に基づいて眼位測定を補正する工程は、自動屈折測定が予定されている範囲内にあるときにのみ眼位測定を行うことを含む。あるいは、自動屈折測定に基づいて眼位測定を補正する工程は、自動屈折測定に基づいて眼位測定を調整することを含む。
【００９７】
任意に、眼位測定は、斜位測定または斜視測定であることができる。
【００９８】
図７は、被験者が視標を凝視する間に被験者の斜位を自動的に測定するための他方の実施例方法のフローチャートを図示する。方法のこの実施形態は、イメージ捕獲機器を使用して被験者の眼の少なくとも一方のイメージを捕らえる工程７０２を含むことができる。イメージは、被験者の眼の少なくとも一方からの光の少なくとも２つの反射を含むことができる。たとえば、イメージは、被験者の眼の少なくとも一方の角膜の外側もしくは内側表面（たとえば、それぞれ第１または第２のプルキニエイメージ）または被験者の眼の少なくとも一方のレンズの外側（前方）もしくは内側（後方）表面（たとえば、それぞれ第３または第４プルキニエイメージ）の少なくとも２つからの光の少なくとも２つの反射を含むことができる。本開示は、イメージが被験者の眼の任意の２つの表面からの光の少なくとも２つの反射を含むことができ、上の例（たとえば、第１から第４のプルキニエイメージ）に限定されるべきでないことを想定している。また、方法は、イメージを解析して被験者の眼の少なくとも一方の中の光の少なくとも２つの反射のそれぞれの位置を同定し、及び被験者の眼の少なくとも一方の中の光の少なくとも２つの反射のそれぞれの位置に基づいて斜位測定を特定する工程７０４を含むことができる。
【００９９】
任意に、方法は、被験者の眼の一方の中の光の少なくとも２つの反射のそれぞれの位置と被験者の眼の他方の中の光の少なくとも２つの反射のそれぞれの位置を比較することをさらに含むことができる。斜位測定は、比較の結果に基づいて特定することができる。
【０１００】
図８は、被験者が視標を凝視する間に被験者の斜位を自動的に測定するためのさらにもう一つの実施例方法のフローチャートを図示する。方法のこの実施形態は、少なくとも２つの光源を使用して少なくとも２つの光で被験者の眼の少なくとも一方を照射する工程８０２及びイメージ捕獲機器を使用して被験者の眼の少なくとも一方のイメージを捕らえる工程８０４を含むことができる。イメージは、被験者の眼の少なくとも一方からの少なくとも２つの光の反射を含むことができる。たとえば、イメージは、被験者の眼の少なくとも一方の角膜の外側もしくは内側表面（たとえば、それぞれ第１または第２のプルキニエイメージ）または被験者の眼の少なくとも一方のレンズの外側（前方）もしくは内側（後方）表面（たとえば、それぞれ第３または第４のプルキニエイメージ）の少なくとも一方からの少なくとも２つの光の反射を含むことができる。本開示は、イメージが被験者の眼の任意の表面からの少なくとも２つの光の反射を含むことができる、及び上の例（たとえば、第１から第４のプルキニエイメージ）に限定されるべきでないことを想定している。また、方法は、イメージを解析して被験者の眼の少なくとも一方の中の少なくとも２つの光の反射のそれぞれの位置を同定する工程８０６及び被験者の眼の少なくとも一方の中の少なくとも２つの光の反射のそれぞれの位置に基づいて斜位測定を特定する工程８０８を含むことができる。
【０１０１】
任意に、方法は、被験者の眼の一方の中の少なくとも２つの光の反射のそれぞれの位置と被験者の眼のもう一方の中の少なくとも２つの光の反射のそれぞれの位置を比較することを含むことができ、斜位測定は、比較の結果に基づいて特定される。
【０１０２】
図９は、被験者が視標を凝視する間に被験者の斜位を自動的に測定するためのもう一つの実施例方法のフローチャートを図示する。方法のこの実施形態は、イメージ捕獲機器を使用して被験者の眼の少なくとも一方のイメージを捕らえる工程９０２を含むことができる。イメージは、被験者の眼の少なくとも一方の中の目標を含むことができる。任意に、目標は、たとえば、血管などの被験者の眼の少なくとも一方の中の特徴であることができる。本開示は、虹彩の特徴、虹彩の可視部分、瞳孔の中間点または可視虹彩の中間点及び同様のものなどの血管以外の目標を使用することができることを想定している。目標は、捕らえられた、及び捕らえられたイメージの中の定義可能な任意の特徴であることができる。また、方法は、イメージを解析して被験者の眼の少なくとも一方の中の目標の位置を同定する工程９０４及び被験者の眼の少なくとも一方の中の目標の位置に基づいて斜位測定を特定する工程９０６を含むことができる。
【０１０３】
本明細書に使用されるように、被験者の少なくとも一方の眼は、被験者の左眼または右眼であることができる。任意に、斜位測定は、被験者の左眼または右眼に基づいて行われることができる。あるいは、被験者の少なくとも一方の眼は、被験者の左眼及び右眼であることができる。任意に、斜位測定は、被験者の左眼及び右眼に基づいて行われることができる。本開示は、被験者の左眼及び右眼に基づいた斜位測定が同じであり得る、または異なり得ることを想定している。
【０１０４】
主題が構造的特徴及び／または方法論的動作に特異的な言語で記述したが、添付の請求の範囲において定義された主題が、上記の具体的特徴及び動作に必ずしも限定されるというわけではないことが理解されるべきである。むしろ、上記の具体的特徴及び動作は、請求の範囲を実行することの形態例として開示される。
【図１Ａ】
2020018875.tif 000003
【図１Ｂ】
2020018875.tif 000004
【図１Ｃ】
2020018875.tif 000005
【図２】
2020018875.tif 000006
【図３Ａ】
2020018875.tif 000007
【図３Ｂ】
2020018875.tif 000008
【図３Ｃ】
2020018875.tif 000009
【図３Ｄ】
2020018875.tif 000010
【図３Ｅ】
2020018875.tif 000011
【図４】
2020018875.tif 000012
【図５】
2020018875.tif 000013
【図６】
2020018875.tif 000014
【図７】
2020018875.tif 000015
【図８】
2020018875.tif 000016
【図９】
2020018875.tif 000017
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
被験者が視標を凝視する間に被験者の斜位および調節性輻輳調節比を自動的に測定するための方法であって、
前記被験者が遠い視標に焦点を合わせている間に、イメージ捕獲機器を使用して前記被験者の眼の少なくとも一方の第１のイメージを捕らえるステップであって、前記第１のイメージは、前記被験者の眼の少なくとも一方の表面からの可視光の第１の反射を含む、ステップと、
前記第１のイメージを解析して、前記被験者の眼の少なくとも一方の中の前記可視光の第１の反射の位置を同定するステップと、
前記被験者の眼の少なくとも一方の中の前記可視光の第１の反射の位置に基づいて、第１の斜位測定を特定するステップと、
前記被験者が近い視標に焦点を合わせている間に、イメージ捕獲機器を使用して前記被験者の眼の少なくとも一方の第２のイメージを捕らえるステップであって、前記第２のイメージは、前記被験者の眼の少なくとも一方の表面からの可視光の第２の反射を含む、ステップと、
前記第２のイメージを解析して、前記被験者の眼の少なくとも一方の中の前記可視光の第２の反射の位置を同定するステップと、
前記被験者の眼の少なくとも一方の中の前記可視光の第２の反射の位置に基づいて、第２の斜位測定を特定するステップと、
前記被験者が前記近い視標に焦点を合わせている間に、自動屈折測定を行うステップであって、前記自動屈折測定が、前記被験者の目が視標に焦点を合わせている間に、前記被験者の眼の少なくとも一方の屈折力を測定することである、ステップと、
前記被験者の眼の少なくとも一方についての前記第１の斜位測定と前記第２の斜位測定との間の変化および前記自動屈折測定によって特定された前記被験者の眼の少なくとも一方の屈折力に基づいて、前記被験者の眼の少なくとも一方に対して調節性輻輳調節比を算出するステップとを含む、
方法。
【請求項２】
前記方法は、
前記被験者の眼の一方の中の前記可視光の反射の位置と、前記被験者の眼の他方の中の前記可視光の反射の位置とを比較するステップをさらに含み、
前記第１の斜位測定および前記第２の斜位測定の各々は、前記比較の結果に基づいて特定される、
請求項１に記載の方法。
【請求項３】
前記第１のイメージまたは第２のイメージを解析して、前記被験者の眼の少なくとも一方の中の前記可視光の第１反射または前記可視光の第２反射の位置を同定するステップは、
前記被験者の眼の少なくとも一方の目標に対して前記可視光の第１の反射または前記可視光の第２反射の位置を同定するステップを含む、
請求項１または２に記載の方法。
【請求項４】
前記第１のイメージは、前記被験者の眼の少なくとも一方の角膜の外側もしくは内側表面またはレンズの外側もしくは内側表面の少なくとも一方からの前記可視光の第１の反射を含む、または、
前記第２のイメージは、前記被験者の眼の少なくとも一方の角膜の外側もしくは内側表面またはレンズの外側もしくは内側表面の少なくとも一方からの前記可視光の第２の反射を含む、
請求項１〜３のいずれか一項に記載の方法。
【請求項５】
前記第１のイメージまたは前記第２のイメージは、第１プルキニエイメージ、第２プルキニエイメージ、第３プルキニエイメージ、または第４プルキニエイメージである、
請求項４に記載の方法。
【請求項６】
前記方法は、
前記被験者の眼の少なくとも一方をカバーするステップおよびカバーを取るステップをさらに含み、
前記第１のイメージまたは前記第２のイメージは、前記被験者の眼の少なくとも一方のカバーを取った後に捕らえられる、
請求項１〜５のいずれか一項に記載の方法。
【請求項７】
前記被験者の眼の少なくとも一方のカバーを取った後に前記被験者の眼のイメージの配列を捕らえるステップと、
イメージの配列の一方において前記被験者の眼の少なくとも一方の中の前記可視光の反射の位置と、イメージの配列の他方において前記被験者の眼の少なくとも一方の中の前記可視光の反射の位置とを比較して、前記被験者の眼の少なくとも一方のカバーが取られた後に任意の動きの大きさ及び方向を特定するステップとをさらに含む、
請求項６に記載の方法。
【請求項８】
前記方法は、
フィルタで前記被験者の眼の少なくとも一方をカバーするステップをさらに含み、
前記第１のイメージまたは前記第２のイメージは、前記被験者の眼の少なくとも一方が前記フィルタによってカバーされる間に捕らえられる、
請求項１〜５のいずれか一項に記載の方法。
【請求項９】
被験者が視標を凝視する間に被験者の斜位および調節性輻輳調節比を自動的に測定する装置であって、前記装置は、
前記被験者の眼の少なくとも一方の第１のイメージおよび第２のイメージを捕らえるイメージ捕獲機器と、
プロセッサと、
前記プロセッサと通信動作可能なメモリとを備え、前記メモリは、前記プロセッサによって実行された場合に以下の動作を前記プロセッサに行わるためのコンピュータ実行可能命令を記憶し、前記動作は、
前記イメージ捕獲機器からの前記第１のイメージおよび第２のイメージを受け取ることであって、前記第１のイメージは、前記被験者が遠い視標に焦点を合わせている間の、前記被験者の眼の少なくとも一方の表面からの可視光の第１の反射を含み、前記第２のイメージは、前記被験者が近い視標に焦点を合わせている間の、前記被験者の眼の少なくとも一方の表面からの可視光の第２の反射を含む、ことと、
前記第１のイメージを解析して、前記被験者の眼の少なくとも一方の前記可視光の第１の反射の位置を同定すること、および前記第２のイメージを解析して、前記被験者の眼の少なくとも一方の前記可視光の第２の反射の位置を同定することと、
前記被験者の眼の少なくとも一方の中の前記可視光の第１の反射の位置に基づいて、第１の斜位測定を特定すること、および前記被験者の眼の少なくとも一方の中の前記可視光の第２の反射の位置に基づいて、第２の斜位測定を特定することと、
前記被験者の眼の少なくとも一方の屈折力を測定する自動屈折測定を、前記被験者の目が前記近い視標に焦点を合わせている間に行うことと、
前記被験者の眼の少なくとも一方についての前記第１の斜位測定と前記第２の斜位測定との間の変化および前記自動屈折測定によって特定された前記被験者の眼の少なくとも一方の屈折力に基づいて、前記被験者の眼の少なくとも一方に対して調節性輻輳調節比を算出することとを含む、
装置。
【請求項１０】
前記メモリは、前記プロセッサによって実行された場合に、前記プロセッサに、
前記被験者の眼の一方の中の前記可視光の反射の位置と前記被験者の眼の他方の中の前記可視光の反射の位置とを比較させるためのさらなるコンピュータ実行可能命令を記憶し、
前記第１の斜位測定および前記第２の斜位測定の各々は、前記比較の結果に基づいて特定することを含む、
請求項９に記載の装置。
【請求項１１】
前記第１のイメージまたは第２のイメージを解析して、前記被験者の眼の少なくとも一方の中の前記可視光の第１の反射または前記可視光の第２の反射の位置を同定するステップは、
前記被験者の眼の少なくとも一方の目標に対して前記可視光の第１の反射または前記可視光の第２の反射の位置を同定するステップを含む、
請求項９または１０に記載の装置。
【請求項１２】
前記第１のイメージは、前記被験者の眼の少なくとも一方の角膜の外側もしくは内側表面またはレンズの外側もしくは内側表面の少なくとも一方からの前記可視光の第１の反射を含む、または、
前記第２のイメージは、前記被験者の眼の少なくとも一方の角膜の外側もしくは内側表面またはレンズの外側もしくは内側表面の少なくとも一方からの前記可視光の第２の反射を含む、
請求項９〜１１のいずれか一項に記載の装置。
【請求項１３】
前記第１のイメージまたは第２のイメージは、第１プルキニエイメージ、第２プルキニエイメージ、第３プルキニエイメージ、または第４プルキニエイメージである、
請求項１２の装置。
【請求項１４】
前記第１のイメージまたは第２のイメージは、前記被験者の眼の少なくとも一方をカバーした後およびカバーを取った後に捕らえられる、
請求項９〜１３のいずれか一項に記載の装置。
【請求項１５】
前記イメージ捕獲機器は、前記被験者の眼の少なくとも一方のカバーを取った後に前記被験者の眼のイメージの配列を捕らえるビデオ捕獲機器またはカメラであり、
前記プロセッサは、コンピュータ読取り可能命令を実行して、イメージの前記配列の一方において前記被験者の眼の少なくとも一方の中の前記可視光の反射の位置と、イメージの前記配列の他方において前記被験者の眼の少なくとも一方の中の前記可視光の反射の位置とを比較して、前記被験者の眼の少なくとも一方のカバーが取られた後に、任意の動きの大きさ及び方向を特定する、
請求項１４に記載の装置。
【請求項１６】
前記第１のイメージまたは前記第２のイメージは、前記被験者の眼の少なくとも一方がフィルタによってカバーされている間に捕らえられる、
請求項９〜１３のいずれか一項に記載の装置。
【請求項１７】
前記装置は、
ディスプレイ機器をさらに含み、
前記装置は、第１の表面および前記第１の表面の反対側の第２の表面を定義し、
前記ディスプレイ機器は、前記第１の表面上に配置され、
前記イメージ捕獲機器は、前記第２の表面上に配置される、
請求項１５に記載の装置。
【請求項１８】
可視光で前記被験者の眼の少なくとも一方を照射するための可視光源をさらに含む、
請求項９〜１７のいずれか一項に記載の装置。
【請求項１９】
前記装置は、前記被験者に前記近い視標を提供する、
請求項９〜１８のいずれか一項に記載の装置。
【請求項２０】
前記装置は、ラップトップコンピュータ、タブレット型コンピュータ、または携帯電話を含むコンピューティングデバイスである、
請求項９に記載の装置。
【請求項２１】
前記目標は、前記被験者の眼の少なくとも一方の中の特徴である、
請求項３に記載の方法。
【請求項２２】
前記特徴は、血管である、
請求項２１に記載の方法。
【請求項２３】
前記目標は、前記被験者の眼の少なくとも一方の中の特徴である、
請求項１１に記載の装置。
【請求項２４】
前記特徴は、血管である、
請求項２３に記載の装置。
【外国語明細書】
2020018875000001.pdf